(57)【要約】【課題】塗装ブース内での吸着ネット装設に際し、常に新鮮な吸着ネットの使用を図り、塗装ブース内の清浄化効率を高める。【解決手段】所要の間隔を隔てて立設された左右の両枠体２，３の少なくとも上下に両枠体間にわたりガイドロール４，７を亘設してなると共に、両枠体２，３間の背面側上下に、網状基材に粘着剤を塗布し、剥離シートを介してロール状に形成せしめた吸着ネットロール１の取付部８と、ハンドル１１又は自動的回動装置を備えた使用済み吸着ネット回収巻取部９とを配設し、取付部８に取り付けた吸着ネットロールより引き出し、吸着ネットをガイドロール５，４を経て両枠体間前面側を被覆し、ガイドロール７，６を介して前記回収巻取部９に巻き付けて張設すると共に、所定時間使用後、吸着ネットのダスト付着面を使用済み吸着ネット回収巻取部９側に巻き付け回収する一方、新鮮な吸着ネットを引出すように構成せしめた。【選択図】      図３
0003122669.tif 000002
【実用新案登録請求の範囲】
【請求項１】
所要間隔を隔てて立設された左右の両枠体の少なくとも上下に両枠体間にわたりガイドロールを亘設してなると共に、両枠体間の背面側上下に、網状基材に粘着剤を塗布し剥離シートを介してロール状に形成せしめた吸着ネットロール取付部と、ハンドルにより回動可能な使用済み吸着ネット回収巻取部とを配設し、取付部に取り付けた吸着ネットを剥離シートを外して引き出し、上部又は下部のガイドロールを経て両枠体間前面側を被覆し、下部又は上部のガイドロールを介して前記回収巻取部に巻き付け張設し、所定時間使用後、ハンドル回動により使用済み吸着ネットを回収巻取部に巻き付け回収すると共に、両枠体前側に新鮮な吸着ネットを引き出し張設するように構成せしめてなることを特徴とする塗装ブース内ダスト吸着装置。
【請求項２】
所要間隔を隔てて立設された左右の両枠体の少なくとも上下に両枠体間にわたりガイドロールを亘設してなると共に、両枠体間の背面側上下に、網状基材に粘着剤を塗布し剥離シートを介してロール状に形成せしめた吸着ネットロール取付部と、所定時間毎に自動的に回動可能に使用済み吸着ネット回収巻取部とを配設し、取付部に取り付けた吸着ネットを剥離シートを外して引き出し、上部又は下部のガイドロールを経て両枠体間前面側を被覆し、下部又は上ブロックのガイドロールを介して前記回収巻取部に巻き付け張設し、所定時間使用後、自動的回動により使用済み吸着ネットを回収巻取部に巻き付け回収すると共に、両枠体前側に新鮮な吸着ネットを引き出し張設するように構成せしめてなることを特徴とする塗装ブース内ダスト吸着装置。
【請求項３】
左右の両枠体が高さ調節自在である請求項１または２記載の塗装ブース内ダスト吸着装置。
【考案の詳細な説明】
【技術分野】
【０００１】
本考案は自動車製造工場の特に自動車の表面塗装ブース内において、自動車の表面に付着する可能性のあるダスト，粉塵，塗料ミスト等（以下、ダストと総称する。）を吸着する吸着装置に係り、詳しくはダストを吸着する粘着剤を塗布した吸着ネットを随時、使用経過と共に更新し、常に新鮮な吸着ネットでダストを吸着せしめて吸着の効率を向上させる塗装ブース内ダスト等の吸着装置に関するものである。
【背景技術】
【０００２】
自動車は過酷な条件に耐え、所期の耐用年数を維持するのみならず、美麗な外観を形成するため、従来より塗装を施すことが一般に行なわれているが、その塗装過程において埃や粉塵等のダストが車体表面の塗装面に付着すると塗料がはじかれたような現象やダスト等による細かな凹凸が塗装面に生じ、外観の美麗さを損なうために塗装ブース内でのダストの排除は極めて重要な課題となっていた。そのため、従来、塗装ブース内は勿論のこと、各塗装工程の前後の床面に水プールを設けたり、工場内の空気の清浄化をはかるため空気濾過装置を設置したり、作業員が静電服を着用する等してダスト等の混入，除去をはかっていたが、十分な効果を挙げるに至らなかった。
【０００３】
そこで、これらの課題に応えて引き続き広い合成樹脂シートを塗装工場（塗装ブース）の壁や床に取り付け、これに粘着剤を塗布すること（例えば特許文献１参照）や、所望幅を有するフレキシブルなシート状基材の片面に粘着剤を塗布し、かつこの粘着剤を覆って剥離シートを貼着したダスト等の吸着シート（例えば特許文献２参照）、更に所望幅を有するフレキシブルなネット状基材に粘着剤を塗布し、また表裏両面に剥離シートを貼着した吸着ネット（例えば特許文献３参照）等が提案されて来た。
【特許文献１】特開昭６３−９３３７２号公報
【特許文献２】特開２０００−６１２２７号公報
【特許文献３】特開２００２−２３３８００号公報
【考案の開示】
【考案が解決しようとする課題】
【０００４】
しかし、これらの提案は何れも自動車製造工場内のダスト吸着用ネットそのものであり、塗装ブースの壁や床に取り付け使用することは開示されているが、使用によりダストが付着した吸着ネットの取り替え等については全く言及されていない。
【０００５】
本考案はかかる実状に鑑み、特に上記吸着ネットをロール状に形成し、ハンドルを利用して使用済み吸着ネットの回収巻き取りを図ると共に新鮮な吸着ネットを引出すことを見出すことにより常に壁や床に新しい吸着ネットを張設せしめてブース内の清浄化効率を高めると共に、ダストを付着した吸着ネットを随時、巻き取り、回収することにより、塗装ブース内の吸着ネットの取り付け利用を効率的ならしめることを目的とするものである。
【課題を解決するための手段】
【０００６】
即ち、上記目的に適合する本考案の特徴は、所要間隔を隔てて立設された左右の両枠体の少なくとも上下に両枠体間にわたりガイドロールを亘設してなると共に、両枠体間の背面側上下に、網状基材に粘着剤を塗布し剥離シートを介してロール状に形成せしめた吸着ネットロール取付部と、手動ハンドル又は所定時間毎に自動的に回動する駆動装置を備えた使用済み吸着ネット回収巻取部とを配設し、取付部に取り付けた吸着ネットを剥離シートを外して引き出し、上部又は下部のガイドロールを経て両枠体間前面側を被覆し、下部又は上部のガイドロールを介して前記回収巻取部に巻き付け張設し、所定時間使用後、ハンドル手動により又は自動的回動により使用済み吸着ネットを回収巻取部に巻き付け回収すると共に、両枠体前面側に新鮮な吸着ネットを引き出し張設するように構成せしめている。なお、左右両枠体は塗装ブース内での張設高さに適合可能である如く高さ調節自在な構造とすることが好ましい。
【０００７】
上記吸着装置は、自動車製造工場の塗装ブースにおいて、床又は壁面に近接して配置し、左右両枠体間で適宜高さに配設された吸着ネットの粘着剤塗布面に埃，浮遊している粉塵等のダストを吸着し、ブース内の環境清浄化をはかると共に、所定時間、吸着を行って、吸着ネットの吸着面にダストが付着したときは手動ハンドルあるいは自動的駆動により使用済み吸着ネット回収巻取部を回動させて使用済み吸着ネットを巻き取り、回収し、同時に新鮮な吸着ネットを取付部より引き出し、引き続き該新鮮な塗布面でダスト等の吸着を繰り返し、清浄化の効率を良好にする。
【考案の効果】
【０００８】
本考案は網状基材に粘着剤を塗布した吸着ネットをロール状に形成したものであり、吸着ネットロール取付部とこれに対向して使用済み吸着ネット回収巻取部を設けて、両者の間で随時、吸着ネットを張設してブース内のダストの吸着を行い、所定の時間を経過して吸着ネットにダストが付着したとき、使用済みの吸着ネットを回収部で巻き取ると、同時に新鮮な吸着ネットを引き出すようにしているので、常に新鮮な吸着ネットが使用され、ダスト吸着を効率よくすることができる。しかも、回収した使用済み吸着ネットはロール状として巻取られているので、廃棄，再利用に際して取り扱いが極めて楽である利点もある。
【考案を実施するための最良の形態】
【０００９】
以下、更に添付図面に基づき本考案の具体的態様を説明する。
【００１０】
図１は本考案で用いる吸着ネットロールの１例であり、図において１は前記本考案で用いる吸着ネットロールで、所要の幅を有する網状基材に浸漬等の手段で表裏全面に粘着剤を塗布し、剥離シートを介してロール状に巻装することによって形成されている。
【００１１】
ここで、網状基材としてはナイロン，ポリエステル，ポリオレフィン等の熱可塑性合成樹脂のモノフィラメント又はマルチフィラメントによって編織網されたものであり、網目構造はラッセル編構造、蛙又編，無結節編など、既知の構造でよく、網目の形状も四角，菱形の外、ラッセル機などにより粗目に編織された粗目布でも良い。また、粘着剤としてはアクリル系，天然ゴム系，ＳＢＲ系など、既知の粘着剤が用いられ、粘着剤面に被着される剥離シートにはクラフト紙，上質紙など既知の離型紙が用いられる。
【００１２】
そして、上記網状基材に粘着剤が塗布された吸着ネットＡは剥離シートを介することによって、既知の巻取機によってロール状に巻き上げられ、例えば図示の如き吸着ネットロールとして内径３２ｍｍ角のカクシカン巻き等に形成される。
【００１３】
図２，図３は上記吸着ネットロールを用いて塗装ブース内の清浄化を図るための吸着装置の１例に係る正面図及び側面図であり、図において２，３は所要の間隔を隔てて立設された左右の枠体であり、塗装ブースの壁などの広さ，吸着ネットＡの幅に応じて所要の間隔が設定され、該左右の枠体２，３の上部と下部においてポリエチレンフィルム等で被覆された剥離性の良好なガイドロール４，６，７が両枠体２，３間に亘設されている。
【００１４】
そして、上記両枠体２，３からなる枠体の背面側においては図３に示す如く吸着ネットロール取付部８と、使用済みネット回収巻取部９が上下に、図では吸着ネットロール取付部８が下部に、使用済みネット回収巻取部９が上部に配置されているが、上下は逆であってもよく、この場合、吸着ネットの送りが逆方向となることは勿論である。
【００１５】
以下、図示に従って説明すると、下部に配設された吸着ネットロール１の吸着シートＡは取付部８より剥離シート１０を分離してガイドロール５を経て枠内下部のガイドロール４を介して上方に引き上げられ、粘着剤塗布面１ａを塗装ブース内へ向け途中のネット張設部を経て上部のガイドロール７で折り返され、粘着剤塗布面１ａにダストを付着せしめて剥離性の良好なガイドロール６を介して上部の使用済みネット回収巻取部９で使用済ネットロール１´として巻き取られるようになっている。
【００１６】
しかして、上記の構成において、吸着ネットロール取付部８においては、該ネットロール１に介装された剥離シート１０を吸着ネットＡより剥離し、回収するための回収部が、図示していないが適宜、設けられており、また、使用済みネット回収巻取部９には適宜、使用に合わせて使用した分の使用済みネットを回収するためのハンドルとして手動用ハンドル１１が設けられている。図中、１２は粘着剤やダスト付着物等の落下を受けるための樋である。
【００１７】
また、図では特に示していないが、使用済みネット回収巻取部に使用済みネットを案内するガイドロール６にもダスト付着粘着物の落下を受ける樋を適宜、付設することが好ましい。なお、上記図示例では使用済みネット回収巻取部９の駆動には手動ハンドル１１による回動が示されているが、吸着ネットの所定の利用時間を予め決めておいて、この時間毎に自動的に駆動して使用済み吸着ネットを巻取る自動的回動とすることも可能であり、好適である。
【００１８】
また、左右の枠体２，３は高さ方向の長さについて塗装ブースの壁面高さに合わせて随時、変更可能であるように高さ調節自在とすることが好適であり、例えば枠体を内筒，外筒の嵌合方式として適宜摺動させて所定の高さで適宜ピン等により固定せしめるようにする。そして、これに対応させて左右枠体２，３間の間隔も吸着ネットの幅に適合するよう、適宜、配置せしめることが有効である。
【００１９】
かくして上記吸着装置の使用に際しては、左右の枠体を所要の位置で保持し、吸着ネット移動面をダスト捕捉側に向けて吸着ネットロール取付部８より適宜、吸着ネットＡを引き出して、使用済み吸着ネット回収巻取部との間で、該吸着ネットＡを両枠体間のダスト捕捉面で張設してダストを捕捉させる。そして、所定の時間を経過し、吸着ネットＡにダスト等が適宜、捕捉され付着したとき、その状況を見てネット回収巻取部９でハンドル１１を操作し、または自動的な回動により吸着ネットのダスト付着面を移動させると共に、次の新鮮な吸着ネットを引き出してダスト捕捉面に張設し、引き続きダスト等を捕捉させ、常に良好な捕捉付着効果をもつ新鮮な吸着ネットをダスト捕捉面に顕出させ、ダスト捕捉効率を向上させることができる。
【産業上の利用可能性】
【００２０】
本考案吸着装置は主として塗装ブース内に配置され使用されるが、同様な清浄化を必要とする作業室や実験室その他の室内に利用しても効果を挙げることができる。
【図面の簡単な説明】
【００２１】
【図１】本考案で使用する吸着ネットロールの１例を示す側面図である。
【図２】本考案吸着装置の１例を示す正面図である。
【図３】図２の側面概要図である。
【符号の説明】
【００２２】
Ａ：吸着ネット
１：吸着ネットロール
１ａ：粘着剤塗布面
１´：使用済み吸着ネットロール
２，３：枠体
４，５，６，７：剥離性ガイドロール
８：吸着ネットロール取付部
９：使用済みネット回収巻取部
１０：剥離シート
１１：ハンドル
１２：付着物落下受樋
【図１】
0003122669.tif 000003
【図２】
0003122669.tif 000004
【図３】
0003122669.tif 000005